(57)【要約】  情報を光学的に読み取り且つ／或いは書き込むための少なくとも１つのデータ層（１０２）を備えるディスク（１０１）を含み、ディスクは、使用中にクランパ（１２１）によって保持されるべき環状クランプ部分（Ｃ）を含み、ディスクは、少なくとも１つの集積回路（１０３）を備え、集積回路は、使用中に少なくとも外部の第二連絡機構（１１１）と連絡するための第一連絡機構（１０４）を含み、第一連絡機構は、環状クランプ部分によって取り囲まれた中心領域（Ｔ）内に延在する情報担体。
2007533062.tif 000002
【特許請求の範囲】
【請求項１】
情報を光学的に読み取り且つ／或いは書き込むための少なくとも１つのデータ層を備えるディスクを含み、
該ディスクは、使用中にクランパによって保持されるべき環状クランプ部分を含み、
前記ディスクは、少なくとも１つの集積回路を備え、
該集積回路は、使用中に少なくとも外部の第二連絡機構と連絡するための第一連絡機構を含み、
該第一連絡機構は、前記環状クランプ部分によって取り囲まれた中心領域内に延在する、
情報担体。
【請求項２】
情報を光学的に読み取り且つ／或いは書き込むための少なくとも１つの情報層を備えるディスクを含み、
該ディスクは、少なくとも１つの集積回路を含み、
該集積回路は、使用中に少なくとも外部の第二連絡機構と連絡するための第一連絡機構を含み、
前記第一連絡機構は、前記ディスクの少なくとも中心地点内に延在する、
例えば、請求項１に記載する種類の情報担体。
【請求項３】
前記第一連絡機構は、前記ディスクの環状移行部分内に延在する、請求項１に記載の情報担体。
【請求項４】
前記第一連絡機構は、前記集積回路の一部である、上記請求項のうちいずれか１項に記載の情報担体。
【請求項５】
前記集積回路は、非接着チップである、上記請求項のうちいずれか１項に記載の情報担体。
【請求項６】
前記集積回路は、前記ディスクの少なくとも中心領域又は中心地点内に位置する、上記請求項のうちいずれか１項に記載の情報担体。
【請求項７】
前記ディスクは中央ブリッジ部分を備え、少なくとも前記第一連絡機構が前記ブリッジ部分上に或いは内に位置する、上記請求項のうちいずれか１項に記載の情報担体。
【請求項８】
情報を光学的に読み取り且つ／或いは書き込むための前記少なくとも１つの層は、前記ディスクの中心領域の外側に延在する、上記請求項のうちいずれか１項に記載の情報担体。
【請求項９】
前記第一連絡機構は、電磁信号を送受信するためのアンテナを少なくとも含む、上記請求項のうちいずれか１項に記載の情報担体。
【請求項１０】
前記第一連絡機構は、光信号を送受信するために、光送信器及び／又は光受信器、例えば、フォトダイオードを少なくとも含む、上記請求項のうちいずれか１項に記載の情報担体。
【請求項１１】
前記ディスクは、前記情報の読取り及び／又は書込みのために、使用中に垂直な回転軸について回転されるよう構成され、該回転軸は、前記ディスクの中心地点を通じて延びる、上記請求項のうちいずれか１項に記載の情報担体。
【請求項１２】
前記集積回路は、前記ディスクの第一側、例えば、盲孔の底部の上に位置し、該盲孔は、前記ディスクの第一側に延在する、上記請求項のうちいずれか１項に記載の情報担体。
【請求項１３】
回転可能なディスクの少なくとも１つのデータ層の上の／からの情報を記録し且つ／或いは再生するための装置であって、当該装置は、上記請求項のうちいずれか１項に記載のディスクの少なくとも第一連絡機構と連絡するための第二連絡機構を少なくとも含む装置。
【請求項１４】
前記第二連絡機構は、前記装置による前記ディスクの回転中、前記ディスクの中心領域及び／又は中心地点にデータを送受信するよう配置された、請求項１３に記載の装置。
【請求項１５】
前記第二連絡機構は、コイルを含む、請求項１３又は１４に記載の装置。
【請求項１６】
前記ディスクのクランプ部分によってディスクを保持するために配置されたクランパ及び／又はターンテーブルを含み、前記クランプ部分は、好ましくは、環状ディスク部分である、請求項１３乃至１５のうちいずれか１項に記載の装置。
【請求項１７】
前記第二連絡機構は、前記クランパ及び／又は前記ターンテーブルの実質的に外側に位置する、請求項１６に記載の装置。
【請求項１８】
前記第二連絡機構は、前記クランパ及び／又は前記ターンテーブルの実質的に内側に位置する、請求項１６に記載の装置。
【請求項１９】
前記コイルの外径は、前記ディスクの前記クランプ部分の内径よりも小さい、請求項１５及び１６に記載の装置。
【請求項２０】
前記クランパ及び／又は前記ターンテーブルは、中心開口を含み、前記第二連絡機構は、使用中に前記中心開口内に位置する、請求項１６に記載の装置。
【請求項２１】
請求項１２に記載のディスクとの組み合わせでの使用のための請求項１３乃至２０のうちいずれか１項に記載の装置であって、前記第二連絡機構は、使用中に前記ディスクの前記第一側と反対側に配置される装置。
【請求項２２】
請求項１２に記載のディスクとの組み合わせでの使用のための請求項１３乃至２０のうちいずれか１項に記載の装置であって、前記第二連絡機構は、使用中に前記ディスクの第二側と反対側に配置されるよう位置付けられ、前記第二ディスク側は前記第一ディスク側から離間している装置。
【請求項２３】
前記第二連絡機構は、双極子アンテナを含む、請求項１２乃至２２のうちいずれか１項に記載の装置。
【請求項２４】
前記双極子アンテナは、実質的に円形である、請求項２３に記載の装置。
【請求項２５】
前記双極子アンテナは、少なくとも２つの実質的に円形の同心なアンテナ腕部を含み、前記アンテナ腕部は、前記ディスクとの組み合わせでの当該装置の使用中、それぞれのディスクの経路と同心であり、前記アンテナ腕部は、前記ディスクの第一連絡機構の前記経路の半径が、使用中、内側のアンテナ腕部の半径よりも大きく、外側のアンテナ腕部の半径よりも小さい、請求項２３又は２４に記載の装置。
【請求項２６】
情報担体を製造するための方法であって、
中心開口を含まないようにディスクが射出成形され、
前記ディスクの中心部分は、使用中に外部の第二連絡機構と連絡するための第一連絡機構を含む少なくとも１つの集積回路を備える方法。
【請求項２７】
情報担体を製造するための方法であって、
中心開口を含むようにディスクが射出成形され、
前記中心開口の少なくとも一部を架橋するために、ブリッジ部分が前記ディスクに適用され、
前記ブリッジ部分は、使用中、少なくとも外部の第二連絡機構と連絡するための第一連絡機構を含む少なくとも１つの集積回路を備える方法。
【発明の詳細な説明】
【技術分野】
【０００１】
本発明は、情報を光学的に読み取り及び／又は書き込むための少なくとも１つの情報層を備えるディスクを含み、ディスクは、使用中にクランパによって保持されるべき環状クランプ部分を含み、ディスクは、少なくとも１つの集積回路を含み、集積回路は、使用中に外部の第二連絡機構と少なくとも連絡するための第一連絡機構を含む情報担体に関する。
【背景技術】
【０００２】
そのような情報担体は、米国特許第６，０４４，０４６号から既知である。既知の情報担体は、中心孔を有する円形ディスクを含むコンパクトディスク（ＣＤ）である。円形ディスクは、情報担持層を備える。ＣＤは、チップと、ＣＤ結合素子とを含む環状モジュールを備える。ＣＤ結合素子は、チップの一体的部分であり得る。チップは様々な機能を提供し得る。例えば、チップを二次的素子として用い得る。具体的には、チップは、ＣＤの情報担持層内に記憶された情報を解読するために必要な解読キーを含み得る。チップの他の用途は、ＣＤ上に記憶されたプログラム又は情報に関する限定的な数の実行又はアクセスのみを許容する会計媒体である。個人的な設定、計算結果、ゲームスコア、及び、類似物を記憶するためにも、チップを用い得る。他の用途において、ＣＤ−チップは、異なる目的のための計算を遂行し得る。そのようなディスク内チップは、既存の或いは新規のディスク規格において、ほぼハッキング不能なディスクコピー保護システムを提供し得る。
【０００３】
使用中、既知のＣＤは、２つの圧力板の間のＣＤドライブ内にクランプされる。圧力板は、ＣＤの環状クランプ部分を保持し、環状クランプ部分は、ディスクの中心孔を囲む。その中心についてのＣＤの回転中、情報をＣＤドライブとＣＤチップとの間で交換し得るよう、既知のＣＤドライブは、ＣＤの結合素子との連絡のために、コイルから成るドライブ結合素子を備える。
【０００４】
チップと連絡手段とから成る既知の情報担体の問題点は、一方のＣＤの結合素子と他方のＣＤドライブとの間のディスクの回転中の相対的接触時間（「デューティサイクル」とも呼ばれる）が、比較的低いか、或いは、少なくとも１００％未満であることである。従って、ディスクチップとＣＤドライブとの間で、小さなデータの流れ及び電力潮流のみを達成し得る。前記米国特許第６，０４４，０４６号では、中断のない連続的なデータ転送を許容するために、円形ディスクの形態の離散的なＣＤ結合素子を使用することが提案されている。しかしながら、これはＣＤの製造を比較的複雑にし、高価なＣＤにつながる。既知の情報担体のさらなる問題点は、情報担体から及び／又は情報担体への比較的低い効率のエネルギー伝達が使用中に達成され得ることである。
【発明の開示】
【発明が解決しようとする課題】
【０００５】
本発明は、情報担体を改良することを意図する。より具体的には、本発明は、集積回路を含み、集積回路と外部連絡機構との間のデューティサイクルが比較的高くあり得る、比較的安価な情報担体を提供することを意図する。
【課題を解決するための手段】
【０００６】
本発明によれば、この目的は請求項１に定められるような情報担体によって達成され、情報担体は、情報を光学的に読み取り且つ／或いは書き込むための少なくとも１つのデータ層を備えるディスクを含み、ディスクは、使用中にクランパによって保持されるべき環状クランプ部分を含み、ディスクは、少なくとも１つの集積回路を備え、集積回路は、使用中に少なくとも外部の第二連絡機構と連絡するための第一連絡機構を含み、第一連絡機構は、環状クランプ部分によって取り囲まれる中心領域内に延在する。
【０００７】
本発明によれば、第一連絡機構は、環状クランプ部分によって取り囲まれた中心領域内に延在する。
【０００８】
その結果、第一連絡機構は、ディスクの中心に比較的近接して延在するので、使用中に比較的高いデューティサイクルを達成し得る。さらに、第一連絡機構は、少なくともディスクの中心内に延在するので、使用中に、第一連絡機構と第二連絡機構との間の比較的高い効率のエネルギー伝達を達成し得る。例えば、前記中心領域は、ディスクの環状移行部分、例えば、ディスク半径方向に見られるときにディスクの中心孔を取り囲む環状移行部分を含み得る。
【０００９】
本発明は、さらに、情報を光学的に読み取り且つ／或いは書き込むための少なくとも１つの層を備えるディスクを含み、ディスクは、少なくとも１つの集積回路を含み、集積回路は、使用中に少なくとも外部の第二連絡機構と連絡するための第一連絡機構を含む情報担体に関する。
【００１０】
前記に続いて、そのような情報担体は前記米国特許第６，０４４，０４６号から既知であり、既に述べられた問題を有する。
【００１１】
本発明は、この情報担体を改良することを意図する。より具体的には、本発明は、集積回路を含み、集積回路と外部連絡機構との間のデューティサイクルが１００％であり得る安価な情報担体を提供することを意図する。
【００１２】
このために、本発明によれば、第一連絡機構は、ディスクの少なくとも中心地点内に有利に延在する。
【００１３】
これは少なくとも請求項１の主題に関する上述の利点ももたらす。好ましくは、このようにして、１００％デューティサイクルを達成し得るし、第一連絡機構と第二連絡機構との間の比較的高いエネルギー伝達も達成し得る。
【００１４】
請求項１及び請求項２は、双方とも、同一の発明的着想、即ち、第一連絡機構が少なくともディスクの中心領域に延在する情報担体に関することが留意されるべきである。双方の場合において、第一連絡機構は、少なくともディスクの中心付近に延在し、よって、比較的高いデューティサイクルを達成する可能性を提供する。よって、双方の実施態様において、第一連絡機構と第二連絡機構との間の大きな単一結合を達成することができ、一方では、それぞれ情報担体の間の高いデータ、他方では、ディスク読取り及び／又は書込み装置を可能にする。
【００１５】
本発明の好適実施態様によれば、第一連絡機構は、前記集積回路の一部である。
【００１６】
従って、情報担体は、集積回路の外側に比較的大きな距離に亘って延在するアンテナ部分のような離散的な連絡機構を含まない。その結果、第一連絡機構は、比較的コンパクトで、小さく、安価で、且つ、軽量であり得る。その上、このようにして、情報担体の製造は比較的単純であり、情報担体を比較的安価に製造し得るよう、満足されるべき小さなディスク許容差を維持する。具体的には、離散的なアンテナ、外部配線、及び、類似物を有する接着チップに比べ、連絡機構と集積回路とから成る集積回路組立体をスモールフォームファクタ情報担体内により一層容易に設け得る。対称的に、接着チップ、離散的アンテナ、及び／又は、充電器を有する既知のディスク内チップ(chip-in-disk)構造は、比較的高価で、嵩張り、且つ、製造が困難である。第一連絡機構を含む集積回路は、例えば、所謂「非接着」チップであり得る。そのような非接着チップは、外部回路、外部アンテナ、及び、類似物に機械的に接続されていない。
【００１７】
本発明の１つの特徴によれば、回転可能なディスクの少なくとも１つのデータ層上の／からの情報を記録し且つ／或いは再生するための装置が設けられ、装置は、少なくとも請求項１乃至１２のうちいずれか１項の第一連絡機構と連絡する第二連絡機構を少なくとも含む。
【００１８】
本発明に従った装置との組み合わせでこの装置を用いることは、比較的高いデューティサイクル及び比較的高いエネルギー伝達効率をもたらす。具体的には、第二連絡機構は、ディスク回転中に第一連絡機構と協働するとき、高いデューティサイクル、好ましくは、殆ど或いは実質的に１００％のデューティサイクルを比較的容易に達成し得る。そのために、前記記録及び／又は再生装置の第二連絡機構を情報担体の第一連絡機構と連絡するために簡単に配置することができ、第一連絡機構は、クランプ領域によって取り囲まれる前記中心ディスク領域内に延在し、或いは、少なくとも中心ディスク地点内に延在する。その上、本発明に従った装置を比較的コンパクトに作成し得る。
【００１９】
本発明は、情報担体を製造するための方法をさらに提供し、その方法は請求項２６の機能を特徴とする。
【００２０】
本発明によれば、ディスクは、中心開口がないように射出成形される。ディスクの中心部分は、少なくとも１つの集積回路を備え、その集積回路は、使用中に少なくとも第二の外部の連絡機構と連絡するための第一連絡機構を含む。
【００２１】
このようにして、少なくとも請求項１に従った情報担体を、比較的迅速に、正確に、且つ、容易に製造することができ、上述の利点をもたらす。好ましくは、集積回路及び第一連絡機構は、１つの部分、例えば、非接着チップ又は類似物内に設けられる。しかしながら、本製造方法において、第一連絡機構は、集積回路に対する別個の部分でもあり得る。
【００２２】
代替的に、請求項２７によれば、ディスクは、ディスクが中心開口を含むように射出成形され、ブリッジ部分は、中心開口の少なくとも一部を架橋するためにディスクに適用され、ブリッジ部分は、少なくとも１つの集積回路を備え、前記集積回路は、使用中に少なくとも第二の外部の連絡機構と連絡するための第一連絡機構を含む。
【００２３】
その場合には、例えば、ディスクは、標準的なディスク製造技法を用いて製造されることができ、然る後、集積回路及び第一連絡機構を保持又は収容するために、中心開口が、少なくとも部分的にリッジ部分と架橋される。
【００２４】
本発明のさらなる有利な実施態様は、従属請求項に記載される。
【００２５】
添付図面に示される例示的な実施態様に基づいて本発明をより詳細に説明する。
【発明を実施するための最良の形態】
【００２６】
本発明において、同一又は類似の部分は、同一又は類似の参照符号を有する。
【００２７】
図１は、情報担体、並びに、クランパ２１、及び、回転可能ディスクの少なくとも情報層上の／からの情報を記録し且つ／或いは再生するための装置５０のターンテーブル２２の一部を概略的に示している。そのような装置５０は、図９に概略的に示されている。
【００２８】
情報担体は、第一種類のデータ、例えば、ビデオ及び／又は音声情報、コンピュータデータ、及び／又は、類似物を光学的に読み取り且つ／或いは書き込むための少なくとも１つの層２を備える実質的に円形のディスク１を含む。ディスク１は、第一種類のデータの読取り及び／又は書込みのための使用中、仮想回転軸Ａについて回転されるよう配置されている。前記回転軸Ａは、ディスク１の中心地点を通じて延びている。
【００２９】
ディスク１は、ディスク半径方向に見られるとき、ディスクの環状移行部分Ｔを取り囲む環状クランプ部分Ｃを含む。少なくとも１つのデータ層２は、ディスク１の環状クランプ部分Ｃの外側に延在している。環状クランプ部分Ｃ及び環状移行部分Ｔは、ディスクの中心地点について同心である。
【００３０】
ディスクの中心領域は貫通孔を備えていないが、ディスク半径方向に見られるとき、前記ディスク移行部分Ｔによって取り囲まれた一体的な円形の中央ブリッジ部分５を備える。本実施態様において、ブリッジ部分５は、その凹面側がターンテーブル又は類似物のための中央空間７に当接するよう、ディスク１の中央突出部を形成している。
【００３１】
クランパ２１及びターンテーブル部分２２は、例えば、磁気力又は類似物を用いて、ディスク１の環状クランプ部分Ｃによって、ディスク１を保持するよう配置されている。具体的には、クランパ２１及びターンテーブル部分２２の一方又は双方は、ディスク１がそれらの間に位置するときに十分なクランプ力をもたらすために、磁石及び適切な金属部分を含み得る。本実施態様において、クランパ２１及びターンテーブル部分２２の双方は、中心開口２３，２５を含む。クランパ２１及びターンテーブル部分２２は、ディスク１の環状クランプ部分Ｃをそれらの間に保持するために、同様に円形である２つの対向するクランプ表面２６，２７を提供している。
【００３２】
ディスク１の中央領域の第一側面は、小さな中央盲孔６を備える。孔６の底部の表面領域は、例えば、約１ｍｍ２以下であり、特に、例えば、０．５ｍｍ２未満であり得る。この孔６は、ブリッジ部分５の側面内に延び、その側面は前記中央空間７から向きが変えられている。盲孔６の底部上には、集積回路３が設けられている。回路３は、例えば、接着剤によって、１つ又はそれよりも多くの固定部材によって、少なくとも部分的な密閉によって、適切な固定手段を用いることによって、及び／又は、類似物を用いることによって、ディスク１に固定される。
【００３３】
集積回路３は、第二種類のデータを交換するために、使用中、少なくとも外部の第二連絡機構１１と連絡するための第一連絡機構４を一体的に含む。第二種類のデータは、例えば、情報の複写、ディスク解錠キー、コンピュータコード、及び／又は、それらの類似物であり得る。第一連絡機構４は、回転軸Ａ上のディスク１の少なくとも中心地点に配置されている。従って、第一連絡機構４は、ディスク半径方向に見られるとき環状クランプ部分Ｃによって取り囲まれるディスク部分５，６内に延在している。
【００３４】
集積回路３は、例えば、非接着チップであり得る。そのようなチップは、外部アンテナを有さない。その場合には、前記第一連絡機構４は、前記集積回路３の一部である。集積回路３は、好ましくは、例えば、約０．４ｍｍ２だけの領域を覆う、及び／又は、約５０〜１００ミクロンの範囲内の厚さ、例えば、約６０ミクロンの厚さを有する小さな寸法を有する。例えば、集積回路３は、ＨｉｔａｃｈｉのＲＦ／ＲＦ結合ＭＥＵチップであり得る。そのようなチップ３の実施態様が図１０Ａに概略的に示されており、ＲＦ−連絡機構４を含む。その場合には、第一連絡機構４は、無線周波数信号を送受信するためのアンテナ４を少なくとも含む。適切なチップ３’の他の実施態様が、図１０Ｂに示されている。この代替的なチップは、光／ＲＦ結合チップ３’であり、光学的な光送受信機、例えば、電力及びデータを送受信するためのフォトダイオードを少なくとも含む。そのような光／ＲＦ結合チップは、例えば、データを送信するためのオンチップ(on-chip)送信器４ｂをさらに含み得る。
【００３５】
図９に示されるように、装置５０の前記第二連絡機構１１は、連絡されるべき前記第一連絡機構４の配置にとりわけ依存して、様々な方法で配置され得る。例えば、第二連絡機構１１は、光学的、誘導的、及び／又は、電磁的な連絡、或いは、類似物のために配置され得る。本実施態様において、前記第二連絡機構１１は、ディスクの回転中、好ましくは実質的に、ディスク１の中心地点に、データを送受信するよう配置されている。
【００３６】
図１及び２の実施態様において、第二連絡機構１１は、ディスクがクランパ２１及びターンテーブル２２によって保持されているときにディスク１の中心付近に位置する、比較的コンパクトなコイル１１を含む。第二連絡機構１１を、クランパ２１、ターンテーブル２２、又は、それぞれの記録及び／又は再生装置の他の適切な部分に取り付け得る。その上、第二連絡機構１１は、前記クランパ２１又はターンテーブル部分２２の少なくとも部分的に外側又は内側に位置し得る。本実施態様において、前記第二連絡機構１１は、使用中に第一連絡機構４の反対側に延在する中央クランパ開口２５内に位置している。第二連絡機構１１は、ディスク１がクランパ２１及びターンテーブル部分２２によって保持されているとき、第一連絡機構４の反対側で、ディスク回転軸Ａに対して同心に位置付けられている。コイル１１を図２に示される位置に向かって配置し及び／又は移動するために、電動機構を設け得る。他方、第二連絡機構１１は、例えば、それぞれの装置５０の固定位置にあり得る。
【００３７】
動作中、ディスク読取り／書込み装置５０の前記ターンテーブル２２によって、ディスク１を回転軸Ａについて回転し得る。回転中、第一連絡機構４は、図２に示されるように、回転軸Ａ上の中心位置に留まる。ディスク１の回転中、第一連絡機構４と第二連絡機構１１との間で情報を交換し得る。連絡機構４，１１の相互に対する配置の故に、具体的には、約１００％の高い連絡接触時間、並びに、連絡機構４，１１間の高効率のエネルギー伝達を達成し得る。従って、連絡装置４，１１間で、データを比較的迅速及び／又は確実に、並びに、比較的低い電力消費で効率的に交換し得る。その上、ディスクが回転されないときにも、そのような連絡を遂行し得る。その場合には、好ましくは、連絡は、ディスク再生装置５０に対するディスクの回転位置と無関係に、常に可能である。次に、第二連絡機構１１は、ディスクが装置５０内に装着された後、その目的のために回転されるべきディスク１なしに、比較的迅速に第一連絡機構４とデータを交換し得る。
【００３８】
第一実施態様の情報担体を様々な方法で製造し得る。例えば、射出成形によって情報担体を製造することができ、ディスク１は中心開口を含まないように射出成形され、ディスク１の中央部分は、集積回路３と、第一連絡機構４とを含む。射出成形プロセス中に或いは然る後、集積回路３及び連絡機構４を、例えば、ディスク１と単に結合し得る。
【００３９】
代替的な方法によれば、ディスクは中心開口を含むように射出成形され、ブリッジ部分５は、中心開口の少なくとも一部を架橋するために、ディスクに適用される。その場合には、ブリッジ部分５は、ディスク１への適用前に、既に第一連絡機構４を備え得るし、或いは、ブリッジ部分５は、ディスク１への結合中又は結合後に、第一連絡機構４を備え得る。接着剤、溶解プロセス、及び／又は、他の適切な手段又は方法を用いて、ブリッジ部分５を様々な方法でディスク１に取り付け得る。
【００４０】
図３は、本発明の第二実施態様を描写している。第二実施態様において、情報担体は、少なくとも１つのデータ層１０２と、中心孔Ｈとを含むディスク１０１を含む。データ層１０２は、情報、具体的には、第一種類のデータを光学的に読み取り且つ／或いは書き込むのに適している。ディスクは、図３に示されるように、使用中にクランパ１２１の環状表面とターンテーブル１２２の環状表面との間に保持されるべき環状クランプ部分Ｃも含む。データ層１０２は、半径方向に見られるとき、ディスクのクランプ部分Ｃの外側に位置するディスク領域に延在している。本発明のディスク１０１の第一側面は、集積回路１０３及び第一連絡機構１０４、例えば、第一実施態様の上述の集積回路と類似する回路を収容する盲孔１０６をさらに含む。本実施態様において、集積回路１０３及び第一連絡機構１０４は、前記クランプ部分Ｃによって取り囲まれた環状移行ディスク部分Ｔ内に配置されている。従って、第一連絡機構は中心ディスク開口Ｈに比較的近接している。
【００４１】
図３は、ディスク１０１の少なくとも１つのデータ層上の／からの情報を記録し且つ／或いは再生するための装置の一部をさらに示している。装置は、クランパ１２１と、ターンテーブル１２２とを含み、クランパ１２１は、中央金属板１３０を含む。ターンテーブル１２２は、金属板１３０を介してクランパ１２１を引き付けるための磁石１３１を備える。その上、装置は、第二連絡機構、具体的には、クランパ／ターンテーブル配置の外側に配置されたコイル１１１を含む。第二連絡機構１１１は、ディスク１０１の回転軸Ａに対して同心に配置されている。コイル１０４の内径及び外径は、前記ディスク１０１の環状クランプ部分Ｃの内径よりも小さく、コンパクトなコイル設計をもたらしている。本実施態様において、第二連絡機構１１１は、使用中、ディスク１０１の第一側面の反対側に配置されるよう位置付けられている。
【００４２】
第二実施態様の第一連絡機構１０４は、前記移行部分Ｔ内の及び／又は上のディスク中心付近に延在するので、使用中、第一連絡機構１０４と第二連絡機構１１１との間の連絡に関して、比較的高いデューティサイクルを達成し得る。その上、第一連絡機構１０４はディスクの中心孔Ｈ付近に配置されるので、第二連絡機構１１１は比較的コンパクトであり、よって、連絡機構１０４及び１１１間の効率的なエネルギー伝達を達成し得る。
【００４３】
図３の装置の代替的な実施態様が図４に示されている。そこでは、コイル２１１である第二連絡機構は、クランパ１２１の環状の円周溝内に延在している。これは、回転軸Ａに沿った軸方向に見られるときに、比較的コンパクトな配置のさらなる利点をもたらしている。
【００４４】
装置の他の代替的な実施態様が図５に示されている。この代替的な実施態様によれば、コイル３１１は、使用中、ディスク３０２の第二側面の反対側に配置されるよう位置付けられており、その第二ディスク側面は、第一ディスク側面から離れて面している。具体的には、この場合には、コイル３１１はターンテーブル３２２の回転シャフト３２４の周囲に延在している。ディスクが装着され／取出されるとき、コイルはターンテーブルの下の同一位置に留まるので、そのような配置は比較的頑丈である。
【００４５】
図６乃至８に示される実施態様は、情報を記録し且つ／或いは再生するための装置４５０が第二連絡機構として働く双極子アンテナ４１１を備える点で、図３乃至５の実施態様と異なる。双極子アンテナ４１１は、使用中に、装置４５０のクランパ４２１及びターンテーブル４２２によって保持される、ディスク４０１の第一連絡機構４０４の経路内に集中される電磁界を発生し得るような寸法とされて配置されている。このために、本実施態様の双極子アンテナ４１１は実質的に円形であり、２つの同心の実質的に円形のアンテナ腕部４１１ａ，４１１ｂを含み、それらは、ディスク回転軸Ａに沿って軸方向に見られるときに、実質的に環状の双極子アンテナ領域Ｗを区切る。アンテナ腕部４１１ａ，４１１ｂの第一端部は、相互接続アンテナ部分４１１ｃによって互いに接続されている。アンテナ腕部４１１ａ，４１１ｂの反対側の第二端部は、本実施態様において、アンテナ腕部４１１ａ，４１１ｂに対して実質的に垂直に延在する、接続脚部４４０を備える。使用中、信号は、これらの接続脚部４４０を介して、双極子アンテナに送受信される。図８から明瞭に分かるように、アンテナ腕部がほぼ閉塞した円形ループを形成するよう、アンテナ腕部４１１ａ，４１１ｂの第一端部及び第二端部は、互いに近接して位置している。第一連絡機構４０４の経路は、２つの双極子アンテナ腕部４１１ａ，４１１ｂによって取り囲まれる環状領域Ｗと実質的にオーバーラップしている。換言すれば、第一連絡機構４０４の経路の半径は、内側アンテナ腕部４１１ｂの半径よりも大きく、外側アンテナ腕部４１１ａの半径よりも小さい。この配置の故に、第二連絡機構４１１の電磁場は、使用中に第一連絡機構が進入する経路内に集中される。従って、装置４５０のアンテナ４１１とディスク１の各第一連絡機構との間の高い結合係数を簡単な方法で達成し得る。その上、このようにして、第一連絡機構と第二連絡機構との間の高い効率のエネルギー伝達を達成し得る。
【００４６】
図９に概略的に示される装置５０は、回転可能なディスクの少なくとも１つのデータ層上の／からの情報を記録し且つ／或いは再生するための装置、具体的には、ディスクプレーヤーである。装置はフレーム５１を有し、光学ピックアップヘッド５２と、回転軸についてディスク（図示せず）を回転するためのターンテーブル６０とを含む。ターンテーブル６０は、例えば、環状クランプ部分によって保持するためのクランパ、例えば、ディスク１を保持するための図１乃至８に示されるようなクランパ２１，１２１，２２１，３２１，４２１を含む。
【００４７】
以後横方向とも呼ばれる二重矢印によって指し示される方向に沿って光学ピックアップヘッド５２を移動し得る。このために、装置５０は、案内シャフト５８と、親ねじ５６を回転するためのモータ５４とを備え、親ねじ５６はピックアップヘッド５２の係合部分５２ａと協働するよう配置されている。ピックアップヘッドは、使用中にターンテーブル６０上に位置するディスクのデータ層上に光ビーム６４を向けるためのレンズ６２を含む。
【００４８】
本発明の装置５０は、図１乃至８のいずれかに示されるようなクランプ及び／又はターンテーブル配置を備える。従って、概略的に描写されるように、装置５０は、ターンテーブル６０上に位置付けられるディスクの第一連絡機構と連絡するよう配置された第二連絡機構を備える。その結果、装置５０は、使用中、情報担持ディスクの連絡機構に比較的高い結合係数を提供する。さらに、装置５０を比較的コンパクトにすることができ、比較的コンパクトな第二連絡機構６１を有する。その上、使用中の連絡機構間の比較的高いエネルギー伝達の故に、装置は比較的低い電力消費を有し得る。
【００４９】
本発明の例証的な実施態様が添付の図面を参照して詳細に記載されたが、本発明はそれらの実施態様に限定されないことが理解されるべきである。請求項に定められるような発明の範囲又は精神から逸脱せずに、当業者によって多様な変化又は変更が行われ得る。
【００５０】
例えば、情報担体は、１つ又はそれよりも多くの集積回路を含み得る。その上、各集積回路を異なる方法で配置し得る。１つ又はそれよりも多くの集積回路のそれぞれは、チップ又は類似の超小型電子技術の形態で提供され得る。例えば、集積回路は、データを蓄積するために、計算を遂行するために、プログラムコードを実行するために、及び／又は、類似物のために配置され得る。
【００５１】
その上、各第一連絡機構を様々な方法で配置し得る。例えば、光学的、誘導的、及び／又は、電磁的な連絡、或いは、類似物のために、第一連絡機構１１を配置し得る。各第一連絡機構は、例えば、１つ又はそれよりも多くのアンテナ、１つ又はそれよりも多くの光学素子、適切な連絡手段、結合素子、及び／又は、類似物を含み得る。同じことが各第二連絡機構６１にも当て嵌まる。さらに、第一連絡機構は、少なくとも部分的にディスク１の第一側面上若しくは内に及び／又は反対側の第二側面上若しくは内に延在し得る。
【００５２】
第一連絡機構を様々な位置に配置し得る。例えば、第一連絡機構の少なくとも連絡部分は、それぞれのディスクの中心地点内に延在し得る。その上、第一連絡機構の少なくとも連絡部分は、ディスクの環状ディスククランプ部分によって取り囲まれる中心領域内に配置され得る。
【００５３】
その上、前記情報担体は、例えば、規格化されたＣＤ寸法、ＤＶＤ寸法、「ポータブルブルー」寸法、及び／又は、他の寸法を有する、異なる種類のディスクを含み得る。情報担体は、１つ又はそれよりも多くの情報担持層を含み得る。情報担体は、例えば、コンピュータデータ、音声データ、ビデオデータ、及び／又は、他の種類の情報を含み得る。
【００５４】
ディスク内の盲孔も、例えば、約１ｍｍ２以下の底部領域を有し或いはより大きな底面を有するために、多様な寸法を有し得る。
【００５５】
さらに、情報を記録し且つ／或いは再生するための装置５０は、情報担体を保持するための幾つかの手段、例えば、１つ又はそれよりも多くのクランプ部材、ターンテーブル、及び／又は、類似物を含み得る。
【００５６】
その上、少なくとも請求項１及び２の主題を様々な方法で組み合わせ得る。例えば、請求項２に従った情報担体は、使用中にクランパによって保持されるべき環状クランプ部分Ｃを備え得る。また、請求項２に従った情報担体において、第一連絡機構は、前記環状クランプ部分Ｃによって取り囲まれる中心領域内に延在し得る。その上、請求項１に従った情報担体において、第一連絡機構は、ディスクの少なくとも中心地点に延在し得る。
【００５７】
さらに、ディスク回転軸Ａは、前記中央ディスク領域を通じて及び／又は前記中央ディスク点を通じて中心に延在し得る。
【図面の簡単な説明】
【００５８】
【図１】本発明の第一実施態様を概略的に示す断面図である。
【図２】図１の詳細Ｑを示す断面図である。
【図３】第二実施態様の図２と類似する詳細を示す断面図である。
【図４】第三実施態様の図２と類似する詳細を示す断面図である。
【図５】第四実施態様の図２と類似する詳細を示す断面図である。
【図６】第五実施態様の図２と類似する詳細を示す断面図である。
【図７】図６に示される第五実施態様を示す上面図である。
【図８】図７の詳細Ｐを示す上面図である。
【図９】情報を記録し且つ／或いは再生するための装置の実施態様を示す概略図である。
【図１０Ａ】非接着チップの実施態様を示す概略図である。
【図１０Ｂ】非接着チップの実施態様を示す概略図である。
【図１】
2007533062.tif 000003
【図２】
2007533062.tif 000004
【図３】
2007533062.tif 000005
【図４】
2007533062.tif 000006
【図５】
2007533062.tif 000007
【図６】
2007533062.tif 000008
【図７】
2007533062.tif 000009
【図８】
2007533062.tif 000010
【図９】
2007533062.tif 000011
【図１０Ａ】
2007533062.tif 000012
【図１０Ｂ】
2007533062.tif 000013
【国際調査報告】
2007533062.tif 000014
2007533062.tif 000015
2007533062.tif 000016